(57)【要約】【課題】浴室等の壁面に取り付けられる棚取付け構造であって、取付け強度が高くて、外観を損なうおそれのなく、棚取付け構造を提供する。【構成】水平部と垂直部からなるＬ字状金具を介して棚部を壁パネルの表面に取り付ける棚取付け構造であって、前記壁パネルに穿設した複数の貫通孔に前記Ｌ字状金具を挿入し、前記垂直部を前記壁パネルの背面に沿って先端を上方に配設してなり、前記水平部を室内に略水平に突設してなり、前記水平部の上側に前記棚部の上面板を載架するように配設してなる。【選択図】  図２
2004344198.tif 000002
【特許請求の範囲】
【請求項１】
水平部と垂直部からなるＬ字状金具を介して棚部を壁パネルの表面に取り付ける棚取付け構造であって、前記壁パネルに穿設した複数の貫通孔に前記Ｌ字状金具を挿入し、前記垂直部を前記壁パネルの背面に沿って先端を上方に配設してなり、前記水平部を室内に略水平に突設してなり、前記水平部の上側に前記棚部の上面板を載架するように配設してなることを特徴とする棚取付け構造。
【請求項２】
前記壁面がユニットバスの浴室の壁面であって、前記棚部を浴室内に配設してなることを特徴とする請求項１記載の棚取付け構造。
【請求項３】
前記垂直部を略直方体の補助部材に固着して、前記補助部材を前記壁パネルの背面に接触させてなることを特徴とする請求項１又は請求項２に記載の棚取付け構造。
【請求項４】
前記棚部を前記水平部に固着してなることを特徴とする請求項１乃至請求項３記載のいずれかに記載の棚取付け構造。
【請求項５】
前記棚部は開口部を有する略直方体であって、前記棚部が前記水平部全体を覆うように前記開口部を前記水平部に挿着してなることを特徴とする請求項１乃至請求項４のいずれかに記載の棚取付け構造。
【請求項６】
前記開口部を含む前記棚部の側面を略全面にわたって前記壁パネルの表面に接触させて、前記棚部の後端周囲にコーキングを施してなることを特徴とする請求項５記載の棚取付け構造。
【発明の詳細な説明】
【０００１】
【発明の属する技術分野】
本発明は、浴室、特にユニットバスルーム等の壁パネルに突設して取り付けられる棚の取付け構造に関するものである。
【０００２】
【従来の技術】
従来、浴室等の壁面に突設して取り付けられて、洗い桶等を載せる棚部としては、棚部を直接に、又は、取付金具を介して壁パネルの表面に取り付けることがなされていた。この種の棚取付け構造だと、棚部や取付金具を壁面に取り付けるための螺子等が見えて、外観を損なうということがあった。さらに、これらは、螺子類で取り付けられているので、これらの螺子類が振動等により緩むと、棚部にガタツキを生じたりすることで不安定となることもあった。これらの課題を解決するために、特開２００１−１６１５８８号公報や特開２００２−２２３９７５号公報に浴室用の棚取付け構造が開示されている。
【０００３】
【特許文献１】
特開２００１−１６１５８８号公報（第３−４頁、図１）
【０００４】
【特許文献２】
特開２００２−２２３９７５号公報（第２−３頁、図１）
【０００５】
【発明が解決しようとする課題】
まず、特開２００１−１６１５８８号公報に開示されている構造では、棚取付具を棚部で覆っている構造となっているので、棚取付具や螺子等は外部から見えることはなく、外観はきれいになる。しかし、棚取付具は、直接に壁面に螺子止めされているので、振動等により螺子が緩むと、棚部にガタツキを生じるおそれがある。一方、特開２００２−２２３９７５号公報に開示されている構造では、帯状の１枚片を折り曲げて、断面が三角形となるようにした取付具によって、棚部を取り付けている。このために、棚部の取付け強度は高い構造になっている。しかし、この棚取付け構造では、取付具やビス等が露出し外観を損なうおそれがあり、特開２００１−１６１５８８号公報に開示されている構造と同様に、振動等により螺子が緩むと、棚部にガタツキを生じるおそれがある。また、これらは、多数の螺子類を壁面に打ち込んでいるために、棚を撤去した時に、これらの跡形が残り、外観を損なうおそれもあった。
【０００６】
本発明は、かかる事由に鑑みてなしたもので、その目的とするところは、浴室等の壁面に取り付けられる棚取付け構造であって、取付け強度が高くて、外観を損なうおそれのない棚取付け構造を提供することにある。
【０００７】
【課題を解決するための手段】
請求項１に係る発明は、水平部と垂直部からなるＬ字状金具を介して棚部を壁パネルの表面に取り付ける棚取付け構造であって、前記壁パネルに穿設した複数の貫通孔に前記Ｌ字状金具を挿入し、前記垂直部を前記壁パネルの背面に沿って先端を上方に配設してなり、前記水平部を室内に略水平に突設してなり、前記水平部の上側に前記棚部の上面板を載架するように配設してなることを特徴としている。
【０００８】
請求項２に係る発明は、請求項１の構成において、前記壁面がユニットバスの浴室の壁面であって、前記棚部を浴室内に配設してなることを特徴としている。
【０００９】
請求項３に係る発明は、請求項１又は請求項２の構成において、前記垂直部を略直方体の補助部材に固着して、前記補助部材を前記壁パネルの背面に接触させてなることを特徴としている。
【００１０】
請求項４に係る発明は、請求項１乃至請求項３のいずれかの構成において、前記棚部を前記水平部に固着してなることを特徴としている。
【００１１】
請求項５に係る発明は、請求項１乃至請求項４のいずれかの構成において、前記棚部は開口部を有する略直方体であって、前記棚部が前記水平部全体を覆うように前記開口部を前記水平部に挿着してなることを特徴としている。
【００１２】
請求項６に係る発明は、請求項１乃至請求項５のいずれかの構成において、前記開口部を含む前記棚部の側面を略全面にわたって前記壁パネルの表面に接触させて、前記棚部の後端周囲にコーキングを施してなることを特徴としている。
【００１３】
【発明の実施の形態】
本発明の実施形態を図１〜３に基づいて説明する。図１に示すように、Ｌ字状金具１は、水平部２と垂直部３からなっている。このものは、鉄等の金属製のパイプを約９０度に曲げ加工をしたものである。水平部２には棚部取付け用のボルト螺合孔４が、垂直部３には補強材取付け用のビス孔５が、それぞれの部位に２つずつ穿設されている。ここで、ボルト螺合孔４には雌螺子の螺子山が螺刻されている。棚部１１の外形は、低背の開口部を有する略直方体であり、洗い桶等を載せる上面板１２、これに対向する底面板１３と３方向を覆う側面板からなっている。また、底面板には、水平部取付け用のボルト挿入孔１４が４つ穿設されている。これらの上面板１２、底面板１３、側面板は木製板や樹脂のものが使用される。補強材１０は、直方体の木材であり、ビス１６が打ち込まれることで、垂直部３が取り付けられる。
【００１４】
以下に、Ｌ字状金具１を用いて、棚部１１を浴室等の壁パネル２１の表面に取り付ける手順について説明する。まず、壁パネル２１にＬ字状金具１を挿入するための貫通孔２２を２つ穿設する。次に、壁パネル２１の背面の側からＬ字状金具１の水平部３を貫通孔２２に挿入して、室内側に水平部２を突設させる。ここで、垂直部３の端部が上方になるように配置して、この垂直部３と壁パネル２１背面との間に補強材１０を配置する。そして、ビス孔５にビス１６を挿入して補強材１０に螺嵌させて、垂直部３に補強材１０を固定させる。この状態で、補強材１０を背面に接触させる。こうすることにより、Ｌ字状金具１は、垂直部３を軸として回動することができなくなる。こうして、ぞれぞれの貫通孔２２にＬ字状金具１を配設した後に、浴室内に突設した水平部２を覆うように、棚部１１を棚上面板１２を上部として挿入させる。そして、底面板１３に穿設したボルト挿入孔１４からボルト１５を挿入して、水平部２のボルト螺合孔４に螺合させる。このようにして、棚部１１が壁パネル２１に固着されるとともに、垂直部３を軸として水平部２が回動すること及び、水平部２を軸として垂直部３が回動することがなくなる。なお、補強材１０を壁パネル２１に接着剤等で固着させることにより、取付け強度を高めることができる。次に、棚部１１と壁面パネル２１との接触部分である棚部１１の後端周囲に、シリコン樹脂等を用いてコーキング２３を施すことにより、貫通孔２２に室内から水分が侵入しないようにする。
【００１５】
本実施形態では、Ｌ字状金具１の垂直部３を壁パネル２１の背面に沿って垂直に先端部を上方として配設し、水平部２を室内に略水平に突設し、水平部２の上側に上面板１２を配設しているので、物を上面板１２に載せたときにＬ字状金具１にかかるモーメントによって、垂直部３は壁パネル２１の背面を圧迫する方向に力が働くことになる。したがって、この力によっては、Ｌ字状金具１が取り外れることはなく、この結果として、重量物を上面板１２の上に載せても、上面板１２が外れることはない。また、振動によって、ボルト１５やビス１６が緩んでも、棚部１１の取付け強度には、直接影響は及ぼすことはないので、がたついたりするおそれがなく、上面板１２の上に重量物を載せることができる。さらに、底面板１３を固定しているＬ字状金具１を棚部１１が覆っているので、Ｌ字状金具１は、外部からは見えない構造になっている。したがって、外観がきれいであり、使用者が取付け金具等に引っ掛かるおそれがない。
【００１６】
このように、比較的簡単で、取付け強度も大きく、外観もきれいな棚取付け構造は、浴室内の棚として有用である。図３に示すように、浴槽２５の横の壁パネル２１に本実施形態の構造により棚部１０を取り付ければ、湯を貯えた洗い桶のように重量物を載せることや、入浴者が腰掛けることも可能となる。さらに、棚部１１と壁パネル２１の接触部分にコーキング２３を施しているので、浴室内の水分が貫通孔２２を通して、壁の内部に侵入することがなく、水分によって壁が劣化するおそれがなくなる。加えて、壁パネル２０には、小さい貫通孔２２を数個開けるだけで、くぎやビス等を直接に壁に取り付ける必要はない。したがって、必要に応じて、棚部１１を撤去したり、この取り付け場所を変更することが容易となる。つまり、貫通孔２２を塞ぐことのみで、撤去した跡を除去させることができる。
【００１７】
また、浴室がユニットバスルームの場合には、建物の躯体と浴室の壁との間に空間があるので、本実施形態の構造を有する棚部１１を容易に設置することができる。また、必要に応じて、あらかじめこの構造を有する棚部１１を取り付けておくこともできる。
【００１８】
なお、本実施形態のように、Ｌ字状金具１の水平部２の全体を覆うような棚部１１を用いる代わりに、上面板１２のみを用いることもできる。この方が、棚部１１の構造が簡易となり、低価格とすることができる。ただし、この場合は、棚部の上面板自体をボルトにより水平部に固定することになる。また、Ｌ字状金具１の垂直部３を壁パネル２１の背面側に設置するには、実施形態で記載したように、背面側から施工する方法以外として、あらかじめ垂直部３に補強材１０を取り付けておいて、これを室内側から貫通孔２２に挿入する方法がある。この方法だと、壁パネル２１の背面側に作業者が入れない場合にも有用である。ただし、貫通孔２２は大きくしておく必要がある。
【００１９】
【発明の効果】
請求項１に係る発明は、水平部と垂直部からなるＬ字状金具を介して棚部を壁パネルの表面に取り付ける棚取付け構造であって、前記壁パネルに穿設した複数の貫通孔に前記Ｌ字状金具を挿入し、前記垂直部を前記壁パネルの背面に沿って先端を上方に配設してなり、前記水平部を室内に略水平に突設してなり、前記水平部の上側に前記棚部の上面板を載架するように配設してなることを特徴としているので、物を上面板に載せたときにＬ字状金具にかかるモーメントによって、垂直部は壁パネルの背面を圧迫する方向に力が働くことになり、この力によっては、Ｌ字状金具が取り外れることはなく、この結果として、重量物を上面板の上に載せても、上面板が外れたり、がたついたりするおそれがなくなる。
【００２０】
請求項２に係る発明は、請求項１の構成において、前記壁面がユニットバスの浴室の壁面であって、前記棚部を浴室内に配設してなることを特徴としているので、請求項１の効果に加え、ユニットバスの壁パネルと建物の躯体との空間を前記垂直部の設置に利用することができ、棚部の取付けの作業性が向上する。
【００２１】
請求項３に係る発明は、請求項１又は請求項２の構成において、前記垂直部を略直方体の補助部材に固着して、前記補助部材を前記壁パネルの背面に接触させてなることを特徴としているので、請求項１又は請求項２の効果に加え、前記垂直部を前記壁パネルに固定していなくても、前記垂直部を軸として水平部が回動ことがなくなり、前記棚部が構造的に安定する。
【００２２】
請求項４に係る発明は、請求項１乃至請求項３のいずれかの構成において、前記棚部を前記水平部に固着してなることを特徴としているので、請求項１乃至請求項３の効果に加え、前記棚部が構造的に安定するとともに、前記水平部を軸として前記垂直部が回動することがなくなり、取り付け強度が増す。
【００２３】
請求項５に係る発明は、請求項１乃至請求項４のいずれかの構成において、前記棚部は開口部を有する略直方体であって、前記棚部が前記水平部全体を覆うように前記開口部を前記水平部に挿着してなることを特徴としているので、請求項１乃至請求項４の効果に加え、前記水平部が露出することがなく、外観がきれいになる。
【００２４】
請求項６に係る発明は、請求項１乃至請求項５のいずれかの構成において、前記開口部を含む前記棚部の側面を略全面にわたって前記壁パネルの表面に接触させて、前記棚部の後端周囲にコーキングを施してなることを特徴としているので、請求項１乃至請求項５の効果に加え、室内から発生した水分が前記貫通孔を通して、前期壁パネルの背面側に侵入するおそれがなくなり、水分による壁の劣化を抑制することができる。
【図面の簡単な説明】
【図１】実施形態に係る棚取付け構造の組立て図である。
【図２】実施形態に係る棚取付け構造の断面図である。
【図３】実施形態に係る棚取付け構造による棚を取付けた浴室の斜視図である。
【符号の説明】
１              Ｌ字状金具
２              水平部
３              垂直部
４              ボルト螺合孔
５              ビス孔
１０            補強材
１１            棚部
１２            上面板
１３            底面板
１４            ボルト挿入孔
１５            ボルト
１６            ビス
２１            壁パネル
２２            貫通孔
２３            コーキング
２５            浴槽
【図１】
2004344198.tif 000003
【図２】
2004344198.tif 000004
【図３】
2004344198.tif 000005